(57)【特許請求の範囲】
【請求項１】
２本の端子を備える接触式ＩＣチップを有する電子キーと、前記接触式ＩＣチップに接触してデータを読み取るデータ読み取り手段と、前記データ読み取り手段が読み取ったデータに基づいて権限認証を行う認証手段と、を有する認証システムにおいて、
前記電子キーは、前記２本の端子の間に前記接触式ＩＣチップと並列に設けられ、前記２本の端子に流れる電流を利用して点灯するＬＥＤと、
前記認証手段が正当な権限を認証しないときに前記ＬＥＤを第１発光状態とし、前記認証手段が正当な権限を認証したときに前記ＬＥＤを、前記第１発光状態とは異なる第２発光状態とするＬＥＤ発光状態切替手段とを有し、
前記２本の端子が前記データ読み取り手段に正常に接触しないときに、前記ＬＥＤが点灯しないことによって、前記データ読み取り手段が前記接触式ＩＣのデータを読み取っていないことを知らせること、
を特徴とする認証システム。
【請求項２】
請求項１に記載する認証システムにおいて、
前記電子キーは、前記接触式ＩＣチップと前記ＬＥＤを内蔵し、前記複数の端子が外部に突出するＩＣユニットを有し、
前記ＩＣユニットは、前記ＬＥＤの光を外部に露出させる切り欠き部を、前記複数の端子が突出する位置と反対側に設けている
ことを特徴とする認証システム。
【請求項３】
請求項１又は請求項２に記載する認証システムにおいて、
前記電子キーが、
前記接触式ＩＣチップに電流が流れる向きと、前記ＬＥＤに電流が流れる向きとが反対になるように、前記複数の端子の間に電気回路を構成され、
前記ＩＣチップデータ読取り手段から送信される制御信号により前記複数の端子の極性を切り替え、前記接触式ＩＣチップの駆動と前記ＬＥＤの点灯を交互に行う回路切替手段を有する
ことを特徴とする認証システム。
【請求項４】
請求項１乃至請求項３の何れか一つに記載する認証システムに使用されることを特徴とする電子キー。
【請求項５】
請求項１乃至請求項３の何れか一つに記載する認証システムを搭載することを特徴とする保管庫。
【請求項６】
請求項５に記載する保管庫に使用されることを特徴とする電子キー。
【発明の詳細な説明】
【技術分野】
【０００１】
本発明は、複数の端子に直列に接続する接触式ＩＣチップを有し、複数の端子がＩＣチップデータ読み取り手段に接触したときにＩＣチップデータ読み取り手段から複数の端子の間を流れる電流により接触式ＩＣチップのデータが読み取られる電子キーに関する。
【背景技術】
【０００２】
従来、オフィスにおいては、保管庫の収納ボックス毎に開閉可能な鍵を、鍵管理ボックスに収納し、使用者がＩＤカード等の認証により、鍵管理ボックスの扉を開閉して、利用したい収納ボックス用の鍵を借り出して利用している。鍵管理ボックスは、ＩＤカードにより、使用者をＩＤ認証し、その人がその収納ボックスにアクセスする権利を有している場合にのみ扉を開いている。
【０００３】
しかし、ＩＤカードと、鍵を別々に所持することは煩雑であり、また、多数の収納ボックス内の書類を調べようとすると、たくさんの鍵を持って移動しなければならず、作業性が悪い。その問題を解決するために、同じ一つの鍵を用いて、複数の収納ボックスを開閉できるシステムが望まれている。
【０００４】
同じ一つの鍵を用いて、複数の保管庫の収納ボックスを開閉できるシステムとしては、マスターキーが知られている。マスターキーは、全ての保管庫の開閉が可能であるが、鍵を紛失した場合等の非常時用のものであり、マスターキーを日常的に使用しては、各別に異なる錠前を収納ボックスに取り付けて保管物を管理する意味がなくなってしまう。また、収納ボックス毎にアクセスする権利を人毎に設定することはできない。
【０００５】
この点、交換容易なシリンダー錠前を用い、収納ボックス毎にシリンダー錠前を交換することにより、一つの鍵で開閉できる収納ボックスを設定可能とするものが市販されている。シリンダー錠前と鍵との関係を簡単に変更できるものとして、ＩＣチップと鍵とを組み合わせた電子キーがある。これによれば、一つの電子キーで開閉可能な収納ボックスを任意に設定し変更することができる。また、電子キーは、機械式の鍵と比べて複製が難しく、セキュリティが高い。
【０００６】
例えば、特許文献１に記載された技術は、収納ボックスの扉部に錠前を設け、ソレノイドにより錠前の回転を阻止している。電子キーは、接触式ＩＣチップを内蔵する把持部と、錠前に差し込まれる挿入部とを有する。電子キーの挿入部を錠前に差し込むと、接触式ＩＣチップの鍵側データ端子が扉部に設けた扉側データ端子に接触し、接触式ＩＣチップが扉側の制御装置にＩＤデータを読み取られる。制御装置は、接触式ＩＣチップのＩＤデータが適正に登録されたＩＤデータと一致する場合には、ソレノイドに通電し、錠前の回転阻止状態を解除する。これにより、電子キーにより錠前を回転を許可させて扉部を施錠・解錠することができる。一方、制御装置は、接触式ＩＣチップのＩＤデータが適正に登録されたＩＤデータと一致しない場合には、ソレノイドに通電せず、錠前の回転阻止状態を維持する。このため、電子キーにより錠前を回転させて扉部を施錠・解錠することができない。
【０００７】
【特許文献１】特開平１０−２５２３２７号公報
【発明の開示】
【発明が解決しようとする課題】
【０００８】
しかしながら、特許文献１に記載された電子キーは、例えば収納ボックスの錠前に差し込まれても解錠できない場合に、電子キーの動作状態をユーザに知らせる手段がなかった。
【０００９】
電子キーは、例えば、接触式ＩＣチップが２つの鍵側データ端子の間に直列に接続し、２つの鍵側データ端子の間を流れる電流によりデータを読み取られる。鍵側データ端子は、銅などの金属を材質とし、酸化による表面皮膜が形成されやすい。鍵側データ端子は、表面皮膜が形成されると電流が流れず、接触式ＩＣチップに電流が流れなくなる。そのため、電子キーは、鍵側データ端子が接触不良を生じると、接触式ＩＣチップのデータがＩＣチップデータ読み取り手段に読み取られず、収納ボックスの錠前を解錠できなかった。
【００１０】
この表面皮膜は、電子キーを錠前に２〜３回出し入れして鍵側データ端子を扉側データ端子に擦りつけたり、鍵側データ端子の表面を爪で擦るなどすれば、簡単に除去できる。よって、接触不良によって錠前を解錠できない場合には、ユーザは、鍵側データ端子から表面皮膜を除去して電子キーを錠前に差し込み直せば、接触式ＩＣチップのデータ読み取り不良を解消して錠前を解錠することが可能になる。
【００１１】
それにもかかわらず、上記公報の電子キーは、錠前を解錠できない場合に、ユーザが電子キーの動作状態を知ることができなかった。そのため、ユーザは、例えば、鍵側データ端子の接触不良により錠前を解錠できない場合に、保管庫の設置場所から電子キーの管理者の元へ行って電子キーにデータを入れ直してもらうなど、電子キーの機能阻害原因に適した対応をとれないことがあった。この場合、ユーザは、電子キーにデータを入れ直してもらっても錠前を解錠できないため、電子キーが故障したと誤認識し、電子キーを無駄に交換する恐れがあった。よって、電子キーは、接触式ＩＣチップから正常にデータを読み取れないデータ読取不良をユーザに知らせる何らかの方法が必要であった。
【００１２】
ここで、本出願人は、特許４０４９７９５号（特願２００６−１２３９５５（出願日：平成１８年４月２７日）、公開番号２００７−２９７７７１、公開日：平成１９年１１月１５日）において、接触式ＩＣチップのデータ読取不良を知らせる技術を提案している。
【００１３】
すなわち、上記特許発明は、複数の保管物を収納する保管庫において、２つの端子を備える接触式ＩＣチップと、接触式ＩＣチップと並列に接続され、２つの端子に流れる電流を利用して点灯するＬＥＤとを、各保管物に設けている。そのため、上記特許発明によれば、保管物を保管庫に収納するときに、ＬＥＤが点灯しないことにより、接触式ＩＣチップのデータが読み取られていないことをユーザに知らせることが可能である。
【００１４】
ところが、上記特許発明は、保管庫に保管物を返却した場合に、保管庫が当該保管物の返却を認識したかどうかを確認するものであった。そのため、上記特許発明に係る特許出願には、電子キーの動作状態を切り分けてユーザに知らせることについて何ら記載及び示唆されていなかった。
【００１５】
そこで、本発明は、上記問題点を解決するためになされたものであり、動作状態を切り分けてユーザに知らせることができる電子キーを提供することを目的とする。
【課題を解決するための手段】
【００１６】
上記目的を達成するために、本発明に係る電子キーは以下の構成を有する。
（１）複数の端子に直列に接続する接触式ＩＣチップを有し、前記複数の端子がＩＣチップデータ読み取り手段に接触したときに前記ＩＣチップデータ読み取り手段から前記複数の端子の間を流れる電流により前記接触式ＩＣチップのデータが読み取られる電子キーにおいて、前記接触式ＩＣチップと並列に設けられ、前記複数の端子が前記ＩＣチップデータ読取り手段に接触したときに前記複数の端子の間に流れる電流を利用して点灯するＬＥＤを有し、前記ＬＥＤの点灯によって、前記接触式ＩＣチップが前記ＩＣチップデータ読取り手段にデータを読み取られたことを知らせる。
【００１７】
（２）（１）に記載の発明において、前記接触式ＩＣチップから読み取ったデータに基づいて正当な権限を認証できた場合と、前記接触式ＩＣチップから読み取ったデータに基づいて正当な権限を認証できない場合とで、前記ＬＥＤの点灯方式を変える。
【００１８】
（３）（１）又は（２）に記載の発明において、前記接触式ＩＣチップと前記ＬＥＤを内蔵し、前記複数の端子が外部に突出するＩＣユニットを有し、前記ＩＣユニットは、前記ＬＥＤの光を外部に露出させる切り欠き部を、前記複数の端子が突出する位置と反対側に設けている。
【００１９】
（４）（１）乃至（３）の何れか一つに記載の発明において、（１）又は（２）に記載の発明において、前記接触式ＩＣチップに電流が流れる向きと、前記ＬＥＤに電流が流れる向きとが反対になるように、前記複数の端子の間に回路が構成され、前記ＩＣチップデータ読取り手段から送信される制御信号により前記複数の端子の極性を切り替え、前記接触式ＩＣチップの駆動と前記ＬＥＤの点灯を交互に行う回路切替手段を有する。
【発明の効果】
【００２０】
上記構成の電子キーは、複数の端子に直列に接続する接触式ＩＣチップを有し、複数の端子の間を流れる電流により接触式ＩＣチップのデータが読み取られる。電子キーは、接触式ＩＣチップと並列にＬＥＤを設け、複数の端子の間を流れる電流を利用してＬＥＤが点灯する。
【００２１】
このような電子キーは、例えば収納ボックスの錠前を解錠する場合に、複数の端子がＩＣチップデータ読み取り端子に接触するように、収納ボックスの錠前に差し込まれる。電子キーは、ＬＥＤが点灯することにより、複数の端子がＩＣチップデータ読み取り手段に正常に接触し、接触式ＩＣチップから正常にデータが読み取られたことをユーザに知らせる。そのため、ユーザは、例えば収納ボックスの錠前を解錠できない場合に、その原因が接触不良以外にあると判断する。
【００２２】
一方、電子キーは、ＬＥＤが点灯しないことにより、複数の端子がＩＣチップデータ読み取り手段に正常に接触せず、接触式ＩＣチップから正常にデータが読み取られていないことをユーザに知らせる。そのため、ユーザは、例えば収納ボックスの錠前を解錠できない場合に、その原因が接触不良にあると判断する。
【００２３】
よって、本発明の電子キーによれば、動作状態を切り分けてユーザに知らせることができる。
【００２４】
本発明の電子キーは、接触式ＩＣチップから読み取ったデータに基づいて正当な権限を認証できた場合と、接触式ＩＣチップから読み取ったデータに基づいて正当な権限を認証できない場合とで、ＬＥＤの点灯方式を変えるので、ＬＥＤの点灯方式の違いにより、認証が成功したか否かをユーザに知らせることができる。
【００２５】
本発明の電子キーは、接触式ＩＣチップとＬＥＤを内蔵し、複数の端子が外部に突出するＩＣユニットを有し、ＩＣユニットは、ＬＥＤの光を外部に露出させる切り欠き部を、複数の端子が突出する位置と反対側に設けているので、錠前に差し込まれた状態でもＬＥＤの発光状態を確認しやすい。
【００２６】
本発明の電子キーは、接触式ＩＣチップに電流が流れる向きと、ＬＥＤに電流が流れる向きとが反対になるように、複数の端子の間に回路が構成され、ＩＣチップデータ読取り手段から送信される制御信号により複数の端子の極性を切り替え、接触式ＩＣチップの駆動とＬＥＤの点灯を交互に行う回路切替手段を有する。このような電子キーは、ＬＥＤの点灯方式を、接触不良と認証失敗と認証成功とに切り分けて簡単に変えることができる。
【発明を実施するための最良の形態】
【００２７】
次に、本発明に係る電子キーの一実施形態について図面を参照して説明する。
【００２８】
（第１実施形態）
＜鍵付保管庫の全体構成＞
図１は、本発明の第１実施形態に係る鍵付保管庫５１、５２，５３の外観斜視図である。
第１実施形態では、３種類の保管庫５１，５２，５３が連続して設置されている。保管庫５１は、観音開き式の収納ボックス５１Ａを備える。保管庫５２は、１つの観音開き式の収納ボックス５２Ａと、３つの引き出し式収納ボックス５２Ｂ，５２Ｃ，５２Ｄを備える。保管庫５３は、保管庫５２と同じ構成である。各収納ボックス５１Ａ，５２Ａ，５２Ｂ，５２Ｃ，５２Ｄ，５３Ａ，５３Ｂ，５３Ｃ，５３Ｄには、錠前２０（「開閉許可手段」の一例）が取り付けられ、保管物が内部に収納される。保管庫５１の上面には、３つの保管庫５１，５２，５３の各収納ボックス５１Ａ，５２Ａ，５２Ｂ，５２Ｃ，５２Ｄ，５３Ａ，５３Ｂ，５３Ｃ，５３Ｄの開閉を制御するための錠前制御手段４０（「開閉制御手段」の一例）が付設されている。
【００２９】
図２は、図１に示す錠前制御手段４０の電気ブロック図である。
錠前制御手段４０は、データの加工や演算を行うＣＰＵ４１と、制御プログラムを記憶するＲＯＭ４３と、錠前２０が取り付けられた収納ボックスを開閉する権限を有する者のＩＤデータが予め登録され、接触式ＩＣチップから読み取ったデータ等の各種データやプログラムを読み書きされるＲＡＭ４２を備えている。錠前制御手段４０は、パソコン４４とＬＡＮにより接続されている。
【００３０】
各錠前２０Ａ，２０Ｂ，２０Ｃ…は、電子キー１にデータを読み書きするデータ通信基板（「ＩＣチップデータ読取り手段」の一例）４５Ａ，４５Ｂ，４５Ｃ…と、錠前２０の回転を制御するソレノイド４６Ａ，４６Ｂ，４６Ｃ…を備える。錠前制御手段４０は、各錠前２０のデータ通信基板４５Ａ，４５Ｂ，４５Ｃ…とソレノイド４６Ａ，４６Ｂ，４６Ｃ…に、配線を介して接続されている。
【００３１】
＜電子キー＞
図３は、図１に示す電子キー１の平面図である。図４は、図３のＡ方向矢視図である。図５は、図３のＢ方向矢視図である。
図３に示す電子キー１は、ステンレスなどの金属製の第１及び第２端子部材（複数の端子の一例）１１，２がＩＣユニット３から突出し、錠前２０に差し込まれるようになっている。図３及び図５に示すように、ＩＣユニット３は、第１及び第２端子部材１１，２が突出する位置と反対側において、ＬＥＤ９の発光状態を視認できるようにされている。
【００３２】
ＩＣユニット３は、樹脂製のケース４により外観が構成されている。図４及び図５に示すように、ケース４は、第１ケース片５と第２ケース片６とを連結して、第１及び第２ケース５，６の間に中空部を形成している。その中空部には、第２端子部材２の枠部２ｂが収納されている。図３に示すように、ケース４は、差込部２ｃと反対側に凹部４ａを設けられ、枠部２ｂと凹部４ａとの間にキーホルダーなどを取り付けるための孔部が設けられている。
【００３３】
図６は、図３に示す電子キー１の内部構造を示す図である。
第２端子部材２の枠部２ｂには、ケース４の内部から外部へ突き出すように差込部２ｃが一体に設けられている。ケース４には、ＩＣチップ用基板１０が内蔵されている。ＩＣチップ用基板１０は、接触式ＩＣチップ１３やＬＥＤ９が搭載されている。ＩＣチップ用基板１０は、ＩＣチップ１３やＬＥＤ９を第２端子部材２の開口部２ａ内に配置した状態で第２端子部材２の枠部２ｂに当接するように、ケース４に位置決め保持されている。ＩＣチップ用基板１０には、第１端子部材１１が取り付けられている。第１端子部材１１は、第２端子部材２の両側に突出するように設けられている（図４参照）。第１及び第２端子部材１１，２は、ＩＣチップ用基板１０から延設された延設部１０ａにより絶縁されている。
【００３４】
ＩＣチップ用基板１０には、接触式ＩＣチップ１３を挟んで、第１端子部材１１と差込部２ｃと反対側に、ＬＥＤ９が配置されている。ＩＣチップ用基板１０には、第１及び第２端子部材１１，２を介して接触式ＩＣチップ１３と通信するための通信配線や、ＬＥＤ９を発光させる発光配線などが、プリントされている。
【００３５】
図５及び図６に示すように、ＩＣユニット３は、切り欠き部４ｂが凹部４ａの内周面に形成され、ＬＥＤ９の発光状態が第１端子部材１１と差込部２ｃと反対側から視認できるようにされている。また、ＩＣユニット３は、図３に示すように、露出口４ｄがケース４の側面に形成され、ＬＥＤ９の発光状態を側面からも視認できるようにされている。
【００３６】
ここで、上記接触式ＩＣチップ１３は、図示しないＣＰＵ、ＲＡＭ、ＲＯＭを備え、第１及び第２端子部材１１，２を介して外部装置と通信する通信機能を有する。ＩＣチップ１３は、当該ＩＣチップ１３の製造時に個別に付与される電子キーＩＤと、ユーザを識別する個人ＩＤ、ユーザが開閉権限を有する収納ボックスを識別する扉ＩＤ（アクセス権）とを記憶している。第１実施形態では、電子キー１が個人に付与される専用キーとし、電子キーＩＤを個人ＩＤとして使用する。
【００３７】
＜電子キーの電気回路構成＞
図７は、図３に示す電子キー１のリードライト回路を示すブロック図である。
図７に示すリードライト回路は、電子キー１のＩＣチップ用基板１０に設けられている。第１整流ダイオードＤ１は、アノード側がＩＣチップ１３に接続され、カソード側が第１端子部材１１に接続されており、第２端子部材２から第１端子部材１１へ電流を流すようになっている。第１抵抗Ｒ１は、第１整流ダイオードＤ１と並列に設けられ、非線形素子である接触式ＩＣチップ１３に僅かな電流が流れたときでも第１整流ダイオードＤ１をＯＮ状態に切り替えられるようにしている。
【００３８】
ＬＥＤ９は、接触式ＩＣチップ１３と並列に設けられている。第２整流ダイオードＤ２は、アノード側が第１端子部材１１に接続され、カソード側がＬＥＤ９に接続されており、第１端子部材１１から第２端子部材２へ電流を流すように配置されている。第２抵抗Ｒ２は、ＬＥＤ９と第２端子部材２との間に配置され、ＬＥＤ９に流れる電流を安定させる。第１及び第２整流ダイオードＤ１，Ｄ２と第１及び第２抵抗Ｒ１，Ｒ２は、ＩＣチップ１３に電流を供給する回路と、ＬＥＤ９に電流を供給する回路とを切り替える「回路切替手段」を構成する。
【００３９】
＜錠前の電気ブロック構成＞
図７に示すように、錠前２０は、データ通信基板４５が、電子キー１の第１及び第２端子部材１１，２に接触する第１スイッチ回路１４と第２スイッチ回路１５とに接続している。データ通信基板４５は、電子キー１の第１及び第２端子部材１１，２の極性を変更するための制御信号（発光切替制御信号（Ｂ）（Ｃ）、タグリードライト切替制御信号（Ａ）を第１及び第２スイッチ回路１４，１５に出力する。第１及び第２スイッチ回路１４，１５は、ｃ接点がａ接点とｂ接点に接続する状態を切り替えることにより、接触式ＩＣチップ１３に電流を流す通信回路と、ＬＥＤ９に電流を流す発光回路と、ＬＥＤ９と接触式ＩＣチップ１３の何れにも電流を流さない遮断回路とを切り替える。
【００４０】
第１スイッチ回路１４のａ接点と第２スイッチ回路１５のｂ接点は、グランドに接続されている。一方、第２スイッチ回路１５のａ接点は、電源１６に接続されている。そして、第２スイッチ回路１５のａ接点と電源１６との間には、接点Ｐ１が設けられている。接点Ｐ１には、プルアップ抵抗Ｒ３を介して第１スイッチ回路１４のｂ接点が接続されている。第１スイッチ回路１４のｂ接点とプルアップ抵抗Ｒ３との間には、接点Ｐ２が設けられている。プルアップ抵抗Ｒ３は、電源１６が第１スイッチ回路１４のａ接点、第２スイッチ回路１５のｂ接点、データ通信基板４５に印加する電圧を５Ｖに安定させている。
【００４１】
このような第１及び第２スイッチ回路１４，１５は、データ通信基板４５がタグリーダライタ切替制御信号（Ａ）を出力した場合に、何れもｃ接点をｂ接点に接続する。これにより、電源１６から出力される電流が、データ通信基板４５と第１スイッチ回路１４と電子キー１の第１端子部材１１と接触式ＩＣチップ１３と第２端子部材２と第２スイッチ回路１５とを介してグランドへ流れるようになる。つまり、通信回路が構成される。この場合、電子キー１は、第１端子部材１１が正極、第２端子部材２が負極に切り替えられる。
【００４２】
また、第１及び第２スイッチ回路１４，１５は、データ通信基板４５がＬＥＤ９を発光させるための発光切替制御信号（Ｂ）を出力した場合に、何れもｃ接点をａ接点に接続する。これにより、電源１６から出力される電流が、第２スイッチ回路１５と電子キー１の第２端子部材２とＬＥＤ９と第１端子部材１１と第１スイッチ回路１４とを介してグランドへ流れるようになる。つまり、発光回路が構成される。この場合、電子キー１は、第１端子部材１１が負極、第２端子部材２が正極に切り替えられる。
【００４３】
更に、データ通信基板４５がＬＥＤ９を発光させないための発光切替制御信号（Ｃ）を出力した場合には、第２スイッチ回路１５がｃ接点をｂ接点に接続し、第１スイッチ回路１４がｃ接点をａ接点に接続する。これにより、電流が第１及び第２スイッチ回路１４，１５の何れにも流れない。つまり、遮断回路が構成される。
【００４４】
＜動作説明＞
続いて、鍵付保管庫５１，５２，５３及びそれに使用される電子キー１の動作について説明する。
例えば、電子キー１は、甲の専用キーとする。接触式ＩＣチップ１３には、甲が使用できる収納ボックス５１Ａ，５２Ａ，５３Ａの扉ＩＤが記憶されている。
【００４５】
電子キー１が錠前２０に差し込まれていない待機中にも、錠前制御手段４０は、タグリードライト切替制御信号（Ａ）とＬＥＤ９を発光させるための発光切替制御信号（Ｂ）とをデータ通信基板４５を介して第１及び第２スイッチ回路１４，１５交互に出力し、第１及び第２スイッチ回路１４，１５のｃ接点をｂ接点とａ接点とに交互に切り替えて接触させている。錠前制御手段４０は、例えば、第１及び第２スイッチ回路１４，１５のｃ接点をｂ接点に接触させて通信回路を構成する時間を１〜２ｍｓｅｃ、第１及び第２スイッチ回路１４，１５のｃ接点をａ接点に接触させて発光回路を構成する時間を１２５ｍｓｅｃとするようにタグリードライト切替制御信号（Ａ）と発光切替制御信号（Ｂ）とを出力し、通信回路と発光回路を構成する時間に極端な差を設けている。電子キー１が錠前２０に差し込まれるまでは、第１及び第２スイッチ回路１４，１５が導通せず、データ通信基板４５に電流が流れない。この場合、錠前制御手段４０は電子キー１が無いと判断する。
【００４６】
甲は、収納ボックス５２Ａからファイルを取り出す場合には、鍵付保管庫５２へ行き、収納ボックス５２Ａの錠前２０に電子キー１を差し込む。電子キー１が差し込まれて第１及び第２端子部材１１，２が第１及び第２スイッチ回路１４，１５のｃ接点に接触すると、第１及び第２スイッチ回路１４，１５が電子キー１を介して導通可能な状態になる。錠前制御手段４０は、待機中と同様に、タグリードライト切替制御信号（Ａ）と発光切替制御信号（Ｂ）とを第１及び第２スイッチ回路１４，１５に出力する。
【００４７】
第１及び第２スイッチ回路１４，１５がタグリードライト切替制御信号（Ａ）を入力してｃ接点をｂ接点に接触させる場合には、電流が、データ通信基板４５、第１スイッチ回路１４、第１端子部材１１、接触式ＩＣチップ１３、第２端子部材２、第２スイッチ回路１５、グランドへと流れる。錠前制御手段４０は、データ通信基板４５に流れる電流によって、電子キー１の接触式ＩＣチップ１３から電子キーＩＤと扉ＩＤを読み取る。このとき、電子キー１のＬＥＤ９には電流が流れず、ＬＥＤ９が点灯しない。
【００４８】
一方、第１及び第２スイッチ回路１４，１５が発光切替制御信号（Ｂ）を入力してｃ接点をａ接点に接触させる場合には、電流が第２スイッチ回路１５、第２端子部材２、ＬＥＤ９、第１端子部材１１、第１スイッチ回路１４、グランドへと流れる。これにより、電子キー１のＬＥＤ９が点灯する。
【００４９】
錠前制御手段４０は、接触式ＩＣチップ１３から読み取った電子キーＩＤと扉ＩＤを、ＲＡＭ４２に記憶されているデータに照合し、認証を行う。そして、錠前制御手段４０は、その認証結果に応じて、タグリードライト切替制御信号（Ａ）と、ＬＥＤ９を点灯させるための発光切替制御信号（Ｂ）と、ＬＥＤ９を点灯させないための発光切替制御信号（Ｃ）とを第１及び第２スイッチ回路１４，１５に切り替えて出力する。
【００５０】
錠前制御手段４０は、接触式ＩＣチップ１３の電子キーＩＤと扉ＩＤに基づいて正当な権限を認証した場合には（認証成功）、図８に示すように、タグリードライト切替制御信号（Ａ）とＬＥＤ９を点灯させるための発光切替制御信号（Ｂ）とを、待機中と同じタイミングで第１及び第２スイッチ回路１４，１５に出力する。そのため、電子キー１のＬＥＤ９は、１〜２ｍｓｅｃの消灯（図中塗りつぶし部分参照）と、１２５ｍｓｅｃの点灯（図中白抜き部分参照）とを繰り返す。ＬＥＤ９の消灯時間は、ＬＥＤ９の点灯時間より大幅に短いため、人間の目には、残像現象によりＬＥＤ９が連続点灯しているように見える。
【００５１】
また、錠前制御手段４０は、認証が成功すると同時に、ソレノイド４６に電流を供給し、錠前２０のロックを解除する。
【００５２】
よって、甲は、錠前２０に差し込んだ電子キー１のＬＥＤ９が連続点灯している様子を見て、認証が成功したことを確認する。そこで、甲は、電子キー１を正方向に回転させて錠前２０を解錠し、収納ボックス５２Ａからファイルを取り出す。その後、甲は、収納ボックス５２Ａの扉を閉じて電子キー１を逆方向に回転させて錠前２０を施錠する。錠前制御手段４０は、収納ボックス５２Ａが閉じられたことを検出すると、ソレノイド４６への通電を停止して錠前２０の回転を阻止する。また、錠前制御手段４０は、電子キーＩＤと扉ＩＤとを収納ボックス５２Ａの開閉時間に関連付けてＲＡＭ４２と電子キー１の接触式ＩＣチップ１３に記憶する。そのため、ＲＡＭ４２や接触式ＩＣチップ１３に記憶された利用履歴を読み出せば、誰がいつどの収納ボックスを開閉したかを知ることができ、ファイル等が紛失したときの責任の所在を明らかにできる。よって、ユーザは、責任追及を免れるために施錠を確実に行うようになり、ファイル等の保管物のセキュリティを高めることができる。
【００５３】
ここで、電子キー１は、施錠前に錠前２０から抜かれることがある。錠前制御手段４０は、認証成功後に、待機中と同じタイミングでタグリードライト切替制御信号（Ａ）をデータ通信基板４５から第１及び第２スイッチ回路１４，１５に出力し、電子キー１の有無（接触式ＩＣチップ１３の有無）を監視している。具体的には、電子キー１が錠前２０から抜かれると、第１及び第２スイッチ回路１４，１５が導通しなくなるため、錠前制御手段４０がタグリードライト切替制御信号（Ａ）を出力しても、データ通信基板４５に電流が流れなくなる。そこで、錠前制御手段４０は、認証成功後にデータ通信基板４５に電流が流れるか否かにより、電子キー１の有無を判断する。
【００５４】
錠前制御手段４０は、認証成功後に電子キー１が無いと判断してから所定時間が経過した場合には、施錠忘れの恐れがあるため、電子キーＩＤと扉ＩＤとを電子キー１が抜かれた時間に関連付けてＲＡＭ４２に書き込む。これにより、ＲＡＭ４２のデータを読み出せば、誰がいつどの収納ボックスを施錠しなかったかを特定することができる。
【００５５】
ところで、電子キー１を錠前２０に差し込む過程では、第１及び第２端子部材１１，２が第１及び第２スイッチ回路１４，１５のｃ接点に接触する状態が安定せず、接触ノイズが発生する。通常、接触ノイズは５０ｍｓｅｃ以内に収束する。よって、錠前制御手段４０は、発光切替制御信号（Ｂ）を第１及び第２スイッチ回路１４，１５に１２５ｍｓｅｃ出力した後に、再度、タグリードライト制御信号（Ａ）を出力する。よって、接触ノイズは、錠前制御手段４０が発光切替制御信号（Ｂ）を出力する間に収束するはずである。接触ノイズが収束すれば、上記と同様に、錠前制御手段４０は認証等を行うことが可能になる。
【００５６】
しかし、例えば、第１及び第２スイッチ回路１４，１５のｃ接点を電子キー１の第１及び第２端子部材１１，２に押し付ける圧力が不足したり、酸化皮膜が第１及び第２端子部材１１，２の表面や第１及び第２スイッチ回路１４，１５のｃ接点に付着するなど接触不良が生じている場合には、接触ノイズが収束しない。この場合、電子キー１のＬＥＤ９は、接触ノイズに同期して点灯状態が不安定になる。よって、甲は、錠前２０に差し込んだ電子キー１のＬＥＤ９が不安定に発光する様子を見て、接触不良が生じていることを認識する。
【００５７】
そこで、甲は、例えば、第１及び第２スイッチ回路１４，１５のｃ接点を第１及び第２端子部材１１，２に押し付ける圧力を調整したり、電子キー１を錠前２０に数回出し入れして第１及び第２端子部材１１，２を第１及び第２スイッチ回路１４，１５のｃ接点に擦りつけることにより第１及び第２端子部材１１，２と第１及び第２スイッチ回路１４，１５のｃ接点に付着した表面皮膜を除去したり、第１及び第２端子部材１１，２の表面を爪で擦って酸化皮膜を除去するなどして、接触不良を解消する手段を講じる。その後、甲は、電子キー１を錠前２０に再度差し込んで、解錠を試みる。
【００５８】
上記に対し、錠前制御手段４０は、電子キー１の接触式ＩＣチップ１３から電子キーＩＤと扉ＩＤとを正常に読み取ったものの、正当な権限を認証できない場合には（認証失敗）、図８に示すように、ＬＥＤ９を発光させるための発光切替制御信号（Ｂ）とＬＥＤ９を発光させないための発光切替制御信号（Ｃ）とをタグリードライト切替制御信号（Ａ）と交互に切り替えて出力する。このとき、錠前制御手段４０は、認証成功時と同じ時間（１〜２ｍｓｅｃ）だけ通信回路を構成するようにタグリードライト切替制御信号（Ａ）を出力する。また、錠前制御手段４０は、同じ時間（１２５ｍｓｅｃ）ずつ発光回路と遮断回路を構成するように、ＬＥＤ９を発光させるための発光切替制御信号（Ｂ）、ＬＥＤ９を発光させないための発光切替制御信号（Ｃ）を出力する。
【００５９】
これにより、錠前制御手段４０がタグリードライト切替制御信号（Ａ）を出力して通信回路を構成する間は、電子キー１の接触式ＩＣチップ１３に電流が流れ、ＬＥＤ９に電流が流れないため、図中塗り潰し部分に示すようにＬＥＤ９が消灯している。また、錠前制御手段４０がＬＥＤ９を発光させるための発光切替制御信号（Ｂ）を出力する間は、電子キー１の接触式ＩＣチップ１３に電流が流れず、ＬＥＤ９に電流が流れるため、図中白抜き部分に示すようにＬＥＤ９が点灯する。更に、錠前制御手段４０がＬＥＤ９を発光させないための発光切替制御信号（Ｃ）を出力して遮断回路を構成する間は、第１及び第２スイッチ回路１４，１５が電源１６に接続せず、電子キー１の接触式ＩＣチップ１３とＬＥＤ９に電流が流れないため、図中斜線部分に示すようにＬＥＤ９が消灯する。錠前制御手段４０が、同じ時間（１２５ｍｓｅｃ）ずつ発光回路と遮断回路を構成するため、人の目には、ＬＥＤ９が１２５ｍｓｅｃ間隔で交互に点灯と消灯を繰り返しているように見える。
【００６０】
よって、甲は、錠前２０に差し込んだ電子キー１のＬＥＤ９が早く点滅している様子を見て、認証に失敗したことを認識する。
【００６１】
ここで、ＬＥＤ９の光は、ＩＣユニット３の側面と後方（第１端子部材１１と差込部２ｃの反対側）に露出する。そのため、甲は、ＩＣユニット３をわざわざ覗き込まなくても、立ち位置からＬＥＤ９の発光状態（連続点灯、点滅など）を確認できる。
【００６２】
＜作用効果＞
以上説明したように第１実施形態の電子キー１は、第１及び第２端子部材１１，２に直列に接続する接触式ＩＣチップ１３を有し、第１及び第２端子部材１１，２の間を流れる電流により接触式ＩＣチップ１３のデータが読み取られる。電子キー１は、接触式ＩＣチップ１３と並列にＬＥＤ９を設け、第１及び第２端子部材１１，２の間を流れる電流を利用してＬＥＤ９が点灯する。
【００６３】
このような電子キー１は、例えば収納ボックス５２Ａの錠前２０を解錠する場合に、第１及び第２端子部材１１，２が第１及び第２スイッチ回路１４，１５に接触するように、収納ボックス５２Ａの錠前２０に差し込まれる。電子キー１は、ＬＥＤ９が点灯することにより、第１及び第２端子部材１１，２が第１及び第２スイッチ回路１４，１５に正常に接触し、接触式ＩＣチップ１３から正常にデータが読み取られたことをユーザに知らせる。そのため、ユーザは、例えば収納ボックス５２Ａの錠前２０を解錠できない場合に、その原因が接触不良以外にあると判断する。
【００６４】
一方、電子キー１は、ＬＥＤ９が点灯しないことにより、第１及び第２端子部材１１，２が第１及び第２スイッチ回路１４，１５に正常に接触せず、接触式ＩＣチップ１３から正常にデータが読み取られていないことをユーザに知らせる。そのため、ユーザは、例えば収納ボックス５２Ａの錠前２０を解錠できない場合に、その原因が接触不良にあると判断する。
【００６５】
よって、第１実施形態の電子キー１によれば、電子キー１の動作状態を切り分けてユーザに知らせることができる。この結果、ユーザは、ＬＥＤ９が点灯しない場合に、錠前２０から電子キー１を抜き取って第１及び第２端子部材１１，２や第１及び第２スイッチ回路１４，１５のｃ接点１４ｃ，１５ｃの表面皮膜を除去するなど、接触不良を解消する何らかの対応を試みた後、当該電子キー１を錠前２０に差し込み直す。これにより、第１及び第２端子部材１１，２の接触不良が解消すれば、接触式ＩＣチップ１３のデータが正常に読み取られ、錠前２０を解錠できるようになる。このように、ユーザは、電子キー１の動作状態に適した対応を取ることが可能になるので、接触不良時に電子キー１にデータを入れ直したり、使用可能な電子キー１を無駄に交換するような不具合を回避できるようになる。
【００６６】
特に、第１実施形態の電子キー１は、第１及び第２端子部材１１，２を用いて電力供給とデータ通信とを行っており、別々の端子で電力供給とデータ通信とを行うＵＳＢメモリと電気的構成が異なる。よって、電子キー１は、ＬＥＤ９をＩＣチップ１３と並列に接続するだけの簡単な電気回路で、ＩＣチップ１３のデータ読み取り状態をＬＥＤ９の発光状態によりユーザに知らせることができる。
【００６７】
これに加え、接触式ＩＣチップ１３は、非接触式ＩＣチップと比べて安価なものの、表面皮膜等により接触不良を生じて通信を阻害される可能性があった。そのため、従来、非接触式ＩＣチップは、接触式ＩＣチップ１３より信頼性が高いと見なされ、広く使用されていた。しかし、第１実施形態の電子キー１は、ＬＥＤ９が発光状態により接触不良の有無をユーザに知らせる。そのため、ユーザは、電子キー１の使用時に接触不良を自分で認識して改善できるようになった。よって、接触式ＩＣチップ１３を使用した電子キー１は、書庫、ロッカー、デスクなどの各種保管庫に使用しても確実に権限認証できるようになり、各種保管庫のセキュリティを安価に向上させることができる。
【００６８】
第１実施形態の電子キー１は、接触式ＩＣチップ１３から読み取ったデータに基づいて正当な権限を認証できた場合と、接触式ＩＣチップ１３から読み取ったデータに基づいて正当な権限を認証できない場合とで、ＬＥＤ９の点灯方式を変える。例えば、正当な権限が認証されない場合には、電子キー１はＬＥＤ９が等間隔で点滅する。この場合、ユーザは、ＬＥＤ９が点滅する様子を見て、認証失敗により収納ボックス５２Ａの錠前２０を解錠できないことを認識する。一方、正当な権限が認証された場合には、電子キー１はＬＥＤ９が消灯時間を極端に短くして点滅する。この場合、ユーザは、残像効果によりＬＥＤ９が連続点灯するように見える。そこで、ユーザは、ＬＥＤ９の連続点灯により認証が成功し、収納ボックス５２Ａの錠前２０を解錠できることを認識する。よって、第１実施形態の電子キー１によれば、ＬＥＤ９の点灯方式の違いにより、認証が成功したか否かをユーザに知らせることができる。
【００６９】
第１実施形態の電子キー１は、接触式ＩＣチップ１３とＬＥＤ９を内蔵し、第１及び第２端子部材１１，２が外部に突出するＩＣユニット３を有し、ＩＣユニット３は、ＬＥＤ９の光を外部に露出させる切り欠き部４ｂと露出口４ｄを、第１及び第２端子部材１１，２が突出する位置と反対側に設けているので、錠前２０に差し込まれた状態でもＬＥＤ９の発光状態を確認しやすい。
【００７０】
第１実施形態の電子キー１は、接触式ＩＣチップ１３に電流が流れる向きと、ＬＥＤ９に電流が流れる向きとが反対になるように、２つの端子部材１１，２の間に回路が構成され、切替制御信号（Ａ）（Ｂ）により２つの端子部材１１，２の極性を切り替え、接触式ＩＣチップ１３の駆動とＬＥＤ９の点灯を交互に行う回路切替手段を有する。このような電子キー１は、ＬＥＤ９の点灯方式を、接触不良と認証失敗と認証成功とに切り分けて簡単に変えることができる。
【００７１】
（第２実施形態）
続いて、本発明の電子キーの第２実施形態について説明する。図９は、本発明の第２実施形態に係る電子キー１Ａの内部構造を示す図である。図１０は、図９のＣＣ断面図である。
第２実施形態の電子キー１Ａは、ＬＥＤ９の周辺構造が第１実施形態と相違し、その他は第１実施形態と共通する。よって、ここでは、第１実施形態と相違する点を中心に説明し、第１実施形態と共通する点は図面に第１実施形態と同一符号を付し、説明を適宜省略する。
【００７２】
電子キー１Ａは、キーホルダーの金具が枠部２ｂに接触することを防止するために、ケース４がカバー部６１により枠部２ｂの内周を覆っている。ＩＣユニット３は、ＬＥＤ９に対応する位置に切り欠き６２を設けている。切欠部６２は、ＩＣユニット３の差込部２ｃと反対側に設けられている。切欠部６２には、ＬＥＤ９の光を散乱させるための散乱部材６３が取り付けられている。
【００７３】
電子キー１Ａは、第１端子部材１１が絶縁部材６４を介して第２端子部材２に取り付けられている。絶縁部材６４は、止めネジ６５を介してＩＣチップ用基板１０に固定され、第１端子部材１１をＩＣチップ用基板１０の配線に接触させるように位置決めしている。
【００７４】
このような電子キー１Ａは、ＬＥＤ９の光が散乱部材６３により散乱し、ＬＥＤ９の発光状態を見やすい。そのため、電子キー１Ａを錠前２０に差し込んだときに、第１及び第２端子部材１１，２が第１及び第２スイッチ回路１４，１５に正常に接触して正当な権限が認証された場合にＬＥＤ９が連続点灯する様子や、第１及び第２端子部材１１，２が第１及び第２スイッチ回路１４，１５に正常に接触しても正当な権限が認証されない場合にＬＥＤ９が点滅する様子を確認しやすく、使い勝手が良い。
【００７５】
（第３実施形態）
続いて、本発明の電子キーの第３実施形態について説明する。図１１は、本発明の第３実施形態に係る電子キーの電気ブロック図である。
第３実施形態の電子キー１Ｂは、複数のＬＥＤ７１，７２を用いて接触不良、認証失敗、認証成功をユーザに知らせる点が第１実施形態と相違し、その他は第１実施形態と共通する。よって、ここでは、第１実施形態と相違する点を中心に説明し、第１実施形態と共通する点は図面に第１実施形態と同一符号を付し、説明を適宜省略する。
【００７６】
図１１に示すように、電子キー１Ｂは、第１端子部材１１と第２端子部材２との間にＩＣチップ１３が配置されている。第２端子部材２とＩＣチップ１３との間には、整流ダイオードＤ２３が配置され、第２端子部材２からＩＣチップ１３を介して第１端子部材１１へ電流が流れるようにされている。
【００７７】
ダイオードＤ２３とＩＣチップ２３との間は、ＩＣチップ２３と第１端子部材１１との間に接続し、青色ＬＥＤ７２がＩＣチップ２３と並列に設けられている。青色ＬＥＤ７２の下流側には、ツェナーダイオードＤ２２が配設され、第２端子部材２に所定値以上の電圧が印加されたときに、第２端子部材２から青色ＬＥＤ７２を介して第１端子部材１１へ電流が流れるようになっている。よって、第２端子部材２に印加する電圧の値によって、青色ＬＥＤ７２の点灯と消灯を制御することが可能である。
【００７８】
また、第１端子部材１１とＩＣチップ１３との間は、第２端子部材２とダイオードＤ２３との間に接続し、赤色ＬＥＤ７１がＩＣチップ１３と並列に設けられている。赤色ＬＥＤ７１の下流側には、整流ダイオードＤ２１が配設され、第１端子部材１１から第２端子部材２へ流れる電流によって赤色ＬＥＤ７１が発光するようになっている。
【００７９】
このような電子キー１Ｂは、錠前２０によって存在を認識されると、第１及び第２端子部材１１，２の接触状態を確認するために、第１端子部材１１と第２端子部材２に交互に電流が供給される。第１及び第２端子部材１１，２が接触不良を生じ、接触ノイズが発生している場合には、赤色ＬＥＤ７１と青色ＬＥＤ７２の点灯状態が不安定になる。
【００８０】
一方、第１及び第２端子部材１１，２が第１及び第２スイッチ回路１４，１５に正常に接触する場合には、赤色ＬＥＤ７１と青色ＬＥＤ７２の何れも安定した点灯が可能になる。電子キー１は、権限認証に成功すると、第２端子部材２に所定圧以上の電圧が印加される。そのため、接触式ＩＣチップ１３と青色ＬＥＤ７２には電流が流れ、赤色ＬＥＤ７１には電流が流れない。よって、電子キー１Ｂは、認証に成功すると、青色ＬＥＤ７２が連続点灯すると共に、接触式ＩＣチップ１３の有無検出や接触式ＩＣチップ１３へのデータの読み書きが行われる。これにより、ユーザは、電子キー１Ｂが第１及び第２端子部材１１，２を第１及び第２スイッチ回路１４，１５に正常に接触させて接触式ＩＣチップ１３のデータを読み取られたこと、及び、認証に成功したことを、青色ＬＥＤ７２が点灯したことにより知ることができる。
【００８１】
また、電子キー１Ｂは、青色ＬＥＤ７２が点灯してから所定時間が経過すると、第２端子部材２に印加する電圧を所定値より小さくする。これにより、青色ＬＥＤ７２に電流が流れなくなり、接触式ＩＣチップ１３のデータ読み取りのみが行われるようになる。これにより、ＬＥＤ７２を点灯させる分の電力を節電することが可能になる。
【００８２】
これに対して、電子キー１Ｂは、権限認証に失敗すると、錠前２０から第１端子部材１１に電流が供給される。そのため、接触式ＩＣチップ１３と青色ＬＥＤ７２には電流が流れず、赤色ＬＥＤ７１には電流が流れる。よって、電子キー１Ｂは、認証に成功失敗すると、赤色ＬＥＤ７１が連続点灯する。これにより、ユーザは、電子キー１Ｂの第１及び第２端子部材１１，２が正常に接触したが、認証に失敗したことを、赤色ＬＥＤ７１が点灯したことにより知ることができる。
【００８３】
よって、第３実施形態の電子キー１Ｂによれば、赤色ＬＥＤ７１又は青色ＬＥＤ７２が点灯するか否かにより、機能を阻害する原因が接触不良であることを切り分けてユーザに知らせることができる。
また、第３実施形態の電子キー１Ｂによれば、青色ＬＥＤ７２と赤色ＬＥＤ７１の何れが点灯したかにより、認証が成功したか否かをユーザに知らせることができる。
【００８４】
尚、本発明は、上記実施の形態に限定されることなく、色々な応用が可能である。
（１）上記実施形態では、第１及び第２スイッチ回路１４，１５を用いて回路を切り替えたが、第１及び第２スイッチ回路１４，１５を耐久性がある半導体に変えて回路を切り替えるようにしてもよい。
【００８５】
（２）上記実施形態で説明した電子キー１の電子回路構成を、図１２に示すように変更してもよい。図１２に示す電子回路を備える電子キーは、第１抵抗Ｒ１がＩＣチップ１３と並列に接続されている点が、上記実施形態の電子キーの電子回路（図７参照）と相違する。図１２に示す電子回路によっても、第１端子部材１１が正極、第２端子部材２が負極にされた場合に、ＩＣチップ１３と第１整流ダイオードＤ１を経由して電流が流れ、ＩＣチップ１３にデータをリードライトすることが可能であり、第１端子部材１１と第２端子部材２の極性を切り替えることによって、ＬＥＤ９を点灯させることが可能である。
【００８６】
（３）上記実施形態で説明した電子キー１の電子回路は、ＩＣチップ１３とＬＥＤ９に流れる電流の向きを逆にした。これに対して、図１３に示すように、ＩＣチップ１３とＬＥＤ９に流れる電流の向きを同一方向にしても良い。この場合には、第１端子部材１１にパルス状に供給する電流を周期を変えることによりＬＥＤ９の点灯方式を変えると良い。また、第１端子部材１１に印加する電圧を高電圧と低電圧に切り替え、ＬＥＤ９の輝度を変えても良い。さらに、高電圧と低電圧に切り替える周期により、ＬＥＤ９の点滅間隔を変えるようにしても良い。
【００８７】
（４）上記実施形態において、ＩＣチップ１３のデータを読み取れない読み取り不良時と、ＩＣチップ１３のデータを読み取れる読み取り可能時とで、ＬＥＤ９の点灯方法を変えてもよい。例えば、読み取り可能時には、第１及び第２端子部材１１，２を同時にＯＮ／ＯＦＦを切り替え、ＬＥＤ９を所定間隔で点滅させる。これに対して、読み取り不良時には、一方の端子１１を連続的にＯＮ状態にして、他方の端子２をＯＮ／ＯＦＦに切り替えることにより、ＬＥＤ９の点滅時間を読み取り可能時より短く（長く）変えても良い。
【００８８】
（５）上記実施形態において、ＩＣチップ１３からデータを正常に読み取ってＬＥＤ９が点灯し始めてから所定時間（例えば３０秒）が経過したら、電子キー１を錠前に差し込んだままでもＬＥＤ９を消灯させても良い。使用者は、最初にＬＥＤ９の点灯によりＩＣチップ１３のデータが正常に読み取られたことを確認できれば、良いからである。ＬＥＤ９の点灯時間を短くして節電することにより、電池寿命を延ばすことができる。
【００８９】
（６）上記実施形態では、ＬＥＤ９の点滅とＩＣチップ１３のデータリードライトとを同一周期で行ったが、タグリードライト切換制御信号（Ａ）と発光切替制御信号（Ｂ）（Ｃ）によってＬＥＤ９の点滅とＩＣチップ１３のデータリードライトの周期を任意に制御し、別々の周期にすることが可能である。この場合でも、ＬＥＤ９の残像が人の目に残り、ＬＥＤ９が点灯した状態でＩＣチップ１３にデータがリードライトされているように見せることが可能である。また、例えば、ＬＥＤ９の点滅時間をＩＣチップ１３のデータリードライト時間より短くすれば、第１及び第２端子部材１１，２の接触状態とＩＣチップ１３のデータリードライト状態とを区別して電子キー１の使用者に知らせることができる。
【００９０】
（７）電子キー１は保管庫以外の机、扉等のオフィス家具製品やその他製品に使用しても良い。
（８）上記実施形態では、保管庫の錠前制御手段４０をＬＡＮでパソコン４４に接続した。これに対して、電池と、錠前と、接触式ＩＣチップのデータを読み取るＩＣチップデータ読み取り手段と、ＩＣチップのデータに基づいて本人認証を行う認証装置と、錠前の回転を阻止するソレノイドと、認証装置が本人認証した場合にソレノイドに電池の電流を供給して錠前の回転阻止状態を解除するソレノイド制御装置とを備える錠前ユニットを収納ボックス毎にスタンドアローンで設けても良い。この場合でも、この錠前ユニットのＩＣチップデータ読み取り手段が第１及び第２端子部材１１，２と接触不良を生じ、ＩＣチップ１３のデータを読み取れないと、電子キー１のＬＥＤ９に電池からの電流が流れず、ＬＥＤ９が点灯しない。よって、電子キー１は、ＬＥＤ９の点滅によってＩＣチップ１３からデータを読み取られないことをユーザに知らせることが可能である。
【００９１】
（９）上記実施形態では、接触式ＩＣチップ１３に接続する端子の数を２つにしたが、３以上の端子を接触式ＩＣチップ１３に接続し、接触式ＩＣチップ１３のデータが読み取られるようにしても良い。
（１０）上記実施形態では、電子キー１のＩＣチップ１３に電子キーＩＤと扉ＩＤが記憶されている。これに対して、電子キー１のＩＣチップ１３には、電子キーＩＤ、ユーザＩＤ、扉ＩＤの一つまたは２以上を記憶させ、各ＩＤを権限認証に用いるようにしても良い。
【図面の簡単な説明】
【００９２】
【図１】本発明の第１実施形態に係る鍵付保管庫の外観斜視図である。
【図２】図１に示す錠前制御手段の電気ブロック図である。
【図３】図１に示す電子キーの平面図である。
【図４】図３のＡ方向矢視図である。
【図５】図３のＢ方向矢視図である。
【図６】図３に示す電子キーの内部構造を示す図である。
【図７】図３に示す電子キーのリードライト回路を示すブロック図である。
【図８】認証に成功した場合の発光切替制御信号と、認証に失敗した場合の発光切替制御信号とを比較する図である。
【図９】本発明の第２実施形態に係る電子キーの内部構造を示す図である。
【図１０】図９のＣＣ断面図である。
【図１１】本発明の第３実施形態に係る電子キーの電気ブロック図である。
【図１２】図１に示す電子キーの電子回路の第１変形例を示す図である。
【図１３】図１に示す電子キーの電子回路の第２変形例を示す図である。
【符号の説明】
【００９３】
１  電子キー
３  ＩＣユニット
９  ＬＥＤ
１１，２  第１及び第２端子部材（複数の端子）
１３  接触式ＩＣチップ
１４，１５  第１及び第２スイッチ回路（極性切替手段）
４５  データ通信基板（ＩＣチップデータ読取り手段）
Ｄ１，Ｄ２  第１及び第２整流ダイオード（回路切替手段）
Ｒ１，Ｒ２  第１及び第２抵抗（回路切替手段）
【要約】
【課題】接触式ＩＣチップからデータが読み取られているか否かを簡単に確認でき、セキュリティに対する信頼性が高い電子キーを提供すること。
【解決手段】第１及び第２端子部材１１，２に直列に接続する接触式ＩＣチップ１３を有し、第１及び第２端子部材１１，２の間を流れる電流により接触式ＩＣチップ１３のデータが読み取られる電子キー１において、接触式ＩＣチップ１３と並列に設けられ、第１及び第２端子部材１１，２がＩＣチップデータ読取り手段１４，１５に接触したときに第１及び第２端子部材１１，２の間に流れる電流を利用して点灯するＬＥＤ９を有し、ＬＥＤ９が点灯することによって、接触式ＩＣチップ１３がデータを読み取られたことを知らせる。
【選択図】図３【図１】
0004245656.tif 000002
【図２】
0004245656.tif 000003
【図３】
0004245656.tif 000004
【図４】
0004245656.tif 000005
【図５】
0004245656.tif 000006
【図６】
0004245656.tif 000007
【図７】
0004245656.tif 000008
【図８】
0004245656.tif 000009
【図９】
0004245656.tif 000010
【図１０】
0004245656.tif 000011
【図１１】
0004245656.tif 000012
【図１２】
0004245656.tif 000013
【図１３】
0004245656.tif 000014